(57)【要約】      （修正有）【課題】固定トレイを含むパイプ曲げ機を提供する。【解決手段】固定トレイ１はトップトレイおよびベーストレイを含み、ベーストレイの頂部の中央部およびトップトレイの底部の中央部にセラミックプレートが溶接され、セラミックプレート頂部の中央部にセラミックコラムが溶接され、固定トレイの外側の頂部および底部に等距離で第１の当接孔が設置されそのキャビティに第１のコイルが貫通して接続され、固定トレイ頂部の中央部に取り付けボルトが貫通して接続されその外側の頂部にレバーアームプレート１０７が嵌着され、レバーアームプレートの底部に曲げ機構が設置され、このパイプ曲げ機は、金属パイプ内の原子が非常に活発な状態で曲げ加工を行い、不規則運動下で曲げ部分を補償動作できるので、曲げ部分をより滑らかでより自然にし、焼成状態での曲げ処理後の成形がより安定し、曲げ部分ではね返り動作が起こりにくく、曲がった角での誤差値を低下させる。【選択図】図１
2020138233.tif 000002
【特許請求の範囲】
【請求項１】
固定トレイ（１）を含むパイプ曲げ機であって、前記固定トレイ（１）はトップトレイ（１０１）およびベーストレイ（１０２）を含み、前記ベーストレイ（１０２）の頂部の中央部およびトップトレイ（１０１）の底部の中央部にいずれもセラミックプレート（１０３）がしっかりと溶接され、前記セラミックプレート（１０３）の頂部の中央部にセラミックコラム（１０４）がしっかりと溶接され、前記固定トレイ（１）の外側の頂部および底部にいずれも等距離で第１の当接孔（１０５）が設置され、前記第１の当接孔（１０５）のキャビティに第１のコイル（１０９）が貫通して接続され、前記固定トレイ（１）の頂部の中央部に取り付けボルト（１０６）が貫通して接続され、前記取り付けボルト（１０６）の外側の頂部にレバーアームプレート（１０７）が嵌着され、前記レバーアームプレート（１０７）の底部に曲げ機構（１０８）が設置される、ことを特徴とするパイプ曲げ機。
【請求項２】
前記セラミックコラム（１０４）の外側に等距離で隠れ溝（１０４１）が設置され、前記セラミックプレート（１０３）に対向する側にいずれも等距離で配線溝（１０３１）が設置され、前記第１のコイル（１０９）の第１の当接孔（１０５）から離れた側はそれぞれ隠れ溝（１０４１）と配線溝（１０３１）のキャビティに係合される、ことを特徴とする請求項１に記載のパイプ曲げ機。
【請求項３】
前記レバーアームプレート（１０７）の頂部の中央部に帯状溝（１０７１）が設置され、前記帯状溝（１０７１）のキャビティに可動柱（１０７２）が貫通接続され、前記可動柱（１０７２）の頂部に帯状溝（１０７１）を貫通してレバーアームプレート（１０７）の頂部の外側まで延び、前記可動柱（１０７２）の頂部にリミットプレート（１０７３）がしっかりと溶接され、前記レバーアームプレート（１０７）の底部の右側に支承板（１０７４）がしっかりと溶接され、前記支承板（１０７４）の右側にプッシュボルト（１０７５）が貫通して接続され、前記レバーアームプレート（１０７）の頂部の右側に回転ハンドル（１０７６）がしっかりと溶接される、ことを特徴とする請求項１に記載のパイプ曲げ機。
【請求項４】
前記曲げ機構（１０８）は曲げブロック（１０８１）を含み、前記曲げブロック（１０８１）の左側の中央部に曲げ溝（１０８２）が設置され、前記曲げ溝（１０８２）のキャビティに曲げローラ（１０８３）が可動的に係合され、前記曲げブロック（１０８３）の頂部の中央部に等距離で円形孔（１０８４）が設置され、前記円形孔（１０８４）のキャビティに取り付けロッド（１０８５）が貫通して接続され、前記取り付けロッド（１０８５）の底部に円形孔（１０８４）が貫通して曲げブロック（１０８１）の底部の外側まで延び、前記曲げブロック（１０８１）の左側の頂部および底部にいずれも等距離で第２の当接孔（１０８６）が設置され、前記第２の当接孔（１０８６）のキャビティに第２のコイル（１０８７）が貫通して接続され、前記曲げブロック（１０８１）の正面および背面の左側にいずれも挿通孔（１０８８）が設置される、ことを特徴とする請求項１に記載のパイプ曲げ機。
【請求項５】
前記隠れ溝（１０４１）は垂直溝であり、その長さはセラミックコラム（１０４）の高さに等しく、前記隠れ溝（１０４１）の頂部および底部にいずれも配線溝（１０３１）に連通する、ことを特徴とする請求項２に記載のパイプ曲げ機。
【請求項６】
前記プッシュボルト（１０７５）はねじ付きボルトであり、前記プッシュボルト（１０７５）は支承板（１０７４）にねじ接続され、前記プッシュボルト（１０７５）の左側は可動柱（１０７２）の外側と重ね継ぐ、ことを特徴とする請求項３に記載のパイプ曲げ機。
【請求項７】
前記曲げブロック（１０８１）は弧形ブロックであり、前記曲げブロック（１０８１）の左側の直径は固定トレイ（１）の外側の直径に等しく、前記曲げブロック（１０８１）の右側は可動柱（１０７２）にしっかりと溶接され、前記第２のコイル（１０８７）は第１のコイルと大きさが同じく、前記第２のコイル（１０８７）の数は少なくとも３つである、ことを特徴とする請求項４に記載のパイプ曲げ機。
【請求項８】
前記支承板（１０７４）の右側に周波数変換器（１０７４１）が取り付けられ、
前記周波数変換器（１０７４１）の右側に電源コード（１０７４２）が電気的接続される、ことを特徴とする請求項３に記載のパイプ曲げ機。
【発明の詳細な説明】
【技術分野】
【０００１】
本発明はパイプ曲げ技術分野に関し、具体的にパイプ曲げ機である。
【背景技術】
【０００２】
現在、工業生産および建設などの業界では、様々な金属材料がよく使用され、異なる製品の製造や異なる場所で必要とされる金属材料の形状および湾曲度に対する要件もまた異なり、しかも科学技術の絶え間ない進歩と発展に伴い、金属材料の品質と製品品質に対する要求もますます高くなり、その中には、金属材料に曲げ処理を実行する装置であるパイプ曲げ機があり、それは中空の金属管を一定の角度で曲げることができるだけでなく、中実の金属材料の変形加工を行うこともでき、従来のパイプ曲げ機には手動、伝動および空気圧などのいくつかの分類がある。例えば、中国特許は、「空気圧式パイプ曲げ機」（特許番号：ＣＮ１０２２４８０４３Ｂ）を開示しおり、この特許は、作業台、シリンダおよびシリンダアセンブリ、パイプ曲げ押圧溝および転がり溝を含み、この技術的解決手段は主に吸気管を介してエアポンプに接続され、曲げる対象のパイプをパイプ曲げの押圧溝に置き、ジョイスティックを作業方向に回し、エアバルブは空気圧をホースを介してシリンダに送り、シリンダーピストンの背部の空気圧は前方の空気圧より大きく、伸縮軸棒とパイプ曲げ押圧溝を作業台に向かって進めるように作動し、最後的に鋼管はパイプ曲げ押圧溝と転がり溝との間に力を受けて設定角度まで曲げた後、ジョイスティックを反対方向に動かし、伸縮軸棒とパイプ曲げ押圧溝を初期位置まで後退させ、曲げられたエルボを取り出す。例えば、中国特許は「曲げ機械」（特許番号：ＣＮ１０２５５３９８８Ｂ）を開示しおり、この特許は、フレーム、動力出力装置、および動力軸を含み、この技術的解決手段は主に、曲げる対象の円形管を位置決めブロックの貫通孔、第１の半円形溝と第２の半円形溝によって形成された円形溝を貫通し、続いて動力出力装置を起動して動力軸の回転を駆動し、動力軸によって曲げアームを駆動してホイールの周りをある方向に回転させ、同時に、曲げアームのスロット内の曲げバーが円形溝を貫通した円形管を折り曲げ、曲げアームがある角度で回転して円形管を湾曲させる必要がある要件に達すると、モータの停止を制御して曲げアームの回転を停止させるように制御することができ、曲げ成形した円形管を取り出すことができる。上記の技術的解決手段および既存の使用されているいくつかのパイプ曲げ装置は、短い金属材料または長い金属製品の曲げ加工に対して、いくつかの非常に重要な問題を避けることができない：金属材料自体はある程度の弾性を有し、曲げ作業後にはその自体が変形回復の動きを有し、これが曲げ角度に一定の偏差を生じさせ、成形を行うことができるようにするために何度も繰り返し曲げ作業を行う必要があり、金属材料を曲げる時に、角の内側に集まりが発生し、外側に伸張動作が発生し、それは金属材料が切断されやすく、角が滑らかにならなくなったりすることを引き起こしやすい。
【先行技術文献】
【特許文献】
【０００３】
【特許文献１】中国特許出願公開第103385363号明細書
【０００４】
従来技術の欠点に対し、本発明はパイプ曲げの角での成形が不安定で切断されやすいという問題を解決するパイプ曲げ機を提供する。
【発明の概要】
【０００５】
以上の目的を達成するために、本発明は以下の技術的解決手段によって達成される：
【０００６】
固定トレイを含むパイプ曲げ機であって、前記固定トレイはトップトレイおよびベーストレイを含み、前記ベーストレイの頂部の中央部およびトップトレイの底部の中央部にいずれもセラミックプレートがしっかりと溶接され、前記セラミックプレートの頂部の中央部にセラミックコラムがしっかりと溶接され、前記固定トレイ外側の頂部および底部にいずれも等距離で第１の当接孔が設置され、前記第１の当接孔のキャビティに第１のコイルが貫通して接続され、前記固定トレイの頂部の中央部に取り付けボルトが貫通して接続され、前記取り付けボルトの外側の頂部にレバーアームプレートが嵌着され、前記レバーアームプレートの底部に曲げ機構が設置される。
【０００７】
好ましくは、前記セラミックコラムの外側に等距離で隠れ溝が設置され、前記セラミックプレートに対向する側にいずれも等距離で配線溝が設置され、前記第１のコイルの第１の当接孔から離れた側はそれぞれ隠れ溝と配線溝のキャビティに係合される。
【０００８】
好ましくは、前記レバーアームプレートの頂部の中央部に帯状溝が設置され、前記帯状溝のキャビティに可動柱が貫通接続され、前記可動柱の頂部に帯状溝を貫通してレバーアームプレートの頂部の外側まで延び、前記可動柱の頂部にリミットプレートがしっかりと溶接され、前記レバーアームプレートの底部の右側に支承板がしっかりと溶接され、前記支承板の右側にプッシュボルトが貫通して接続され、前記レバーアームプレートの頂部の右側に回転ハンドルがしっかりと溶接される。
【０００９】
好ましくは、前記曲げ機構は曲げブロックを含み、前記曲げブロックの左側の中央部に曲げ溝が設置され、前記曲げ溝のキャビティに曲げローラが可動的に係合され、前記曲げブロックの頂部の中央部に等距離で円形孔が設置され、前記円形孔のキャビティに取り付けロッドが貫通して接続され、前記取り付けロッドの底部に円形孔を貫通して曲げブロックの底部の外側まで延び、前記曲げブロックの左側の頂部および底部にいずれも等距離で第２の当接孔が設置され、前記第２の当接孔のキャビティに第２のコイルが貫通して接続され、前記曲げブロックの正面および背面の左側にいずれも挿通孔が設置される。
【００１０】
好ましくは、前記隠れ溝は垂直溝であり、その長さはセラミックコラムの高さと等しく、前記隠れ溝の頂部および底部にいずれも配線溝が連通される。
【００１１】
好ましくは、前記プッシュボルトはねじ付きボルトであり、前記プッシュボルトは支承板にねじ接続され、前記プッシュボルトの左側は可動柱の外側と重ね継ぐ。
【００１２】
好ましくは、前記曲げブロックは弧形ブロックであり、前記曲げブロックの左側の直径は固定トレイの外側の直径に等しく、前記曲げブロックの右側は可動柱にしっかりと溶接され、前記第２のコイルは第１のコイルと大きさが同じく、前記第２のコイルの数は少なくとも３つである。
【００１３】
好ましくは、前記支承板の右側に周波数変換器が取り付けられ、前記周波数変換器の右側に電源コードが電気的接続される。
（三）有益な効果
【００１４】
本発明はパイプ曲げ機を提供する。以下の有益な効果を有する：
【００１５】
（１）このパイプ曲げ機は、金属材料が高温状態になるまで金属材料を局所的に急速に加熱することができ、これによって曲げ部分の金属原子は非常に活発状態になり、柔軟性が大幅に高められ、曲げ作業をより順調に改善される。
【００１６】
（２）このパイプ曲げ機では、曲げられた部分の内部の金属原子の高度活発状態により、曲げ部分の内部原子構造および位置を再配置することができ、それによって曲げ部分の内側が厚すぎ、外側が薄すぎるという問題を解決する。
【００１７】
（３）このパイプ曲げ機は高温状態での金属パイプ曲げ作業を採用しており、曲げ作業の過程において角の平坦度を改善することができるだけでなく、この状態での曲げの可塑性および成形は金属自体の弾性による曲げ角度のずれの問題を避ける。
【図面の簡単な説明】
【００１８】
【図１】本発明の構造の概略図である。
【００１９】
【図２】本発明の固定トレイの断面図である。
【００２０】
【図３】本発明の曲げ機構の構造の概略図である。
【００２１】
【図４】本発明の第１のコイルと第２のコイルの当接および電流方向の概略図である。
【００２２】
図には：１固定トレイ、１０１トップトレイ、１０２ベーストレイ、１０３セラミックプレート、１０３１配線溝、１０４セラミックコラム、１０４１隠れ溝、１０５第１の当接孔、１０６取り付けボルト、１０７レバーアームプレート、１０７１帯状溝、１０７２可動柱、１０７３リミットプレート、１０７４支承板、１０７４１周波数変換器、１０７４２電源コード、１０７５プッシュボルト、１０７６回転ハンドル、１０８曲げ機構、１０８１曲げブロック、１０８２曲げ溝、１０８３曲げローラ、１０８４円形孔、１０８５取り付けロッド、１０８６第２の当接孔、１０８７第２のコイル、１０８８挿通孔、１０９第１のコイルである。
【発明を実施するための形態】
【００２３】
以下、本発明の実施例における図面によって、本発明の実施例における技術的解決手段を明確かつ完全に説明し、明らかなことに、記載された実施例は本発明の実施例の一部に過ぎず、実施例のすべてではない。
【００２４】
前記実施例の例が図面に示されており、同一または類似の符号は、同一または類似の要素、または同一または類似の機能を有する要素を示す。以下、図面によって説明する実施例は例示的であり、本発明を解釈するためのものであり、本発明を制限するものではない。
【００２５】
本発明において、他に明示的に規定および限定されない限り、「取り付け」、「連結」、「接続」及び「固定」という用語は広く理解されるべきであり、例えば固定接続であっても取り外し可能な接続であっても、または一体的な接続であってもよく、機械的接続であっても、電気的接続であってもよく、直接接続であっても、中間媒体を介した間接的接続であってもよく、２つの要素の内部連通または２つの要素の相互作用であってもよい。当業者にとって、本発明における上記用語の具体的な意味をケースバイケースで理解することができる。
【００２６】
図１から４に示すように、本発明が提供する技術的解決手段は以下のとおりである：固定トレイ１を含むパイプ曲げ機であって、固定トレイ１はトップトレイ１０１およびベーストレイ１０２を含み、ベーストレイ１０２の頂部の中央部およびトップトレイ１０１の底部の中央部にいずれもセラミックプレート１０３がしっかりと溶接され、セラミックプレート１０３の頂部の中央部にセラミックコラム１０４がしっかりと溶接され、セラミックコラム１０４の外側に等距離で隠れ溝１０４１が設置され、隠れ溝１０４１は垂直溝であり、その長さはセラミックコラム１０４の高さに等しく、隠れ溝１０４１の頂部および底部にいずれも配線溝１０３１に連通し、セラミックプレート１０３に対向する側にいずれも等距離で配線溝１０３１が設置され、第１のコイル１０９の第１の当接孔１０５から離れた側はそれぞれ隠れ溝１０４１と配線溝１０３１のキャビティに係合され、固定トレイ１の外側の頂部および底部にいずれも等距離で第１の当接孔１０５が設置され、第１の当接孔１０５のキャビティに第１のコイル１０９が貫通して接続され、固定トレイ１の頂部の中央部に取り付けボルト１０６が貫通して接続され、取り付けボルト１０６の外側の頂部にレバーアームプレート１０７が嵌着され、レバーアームプレート１０７の頂部の中央部に帯状溝１０７１が設置され、帯状溝１０７１のキャビティに可動柱１０７２が貫通接続され、可動柱１０７２の頂部に帯状溝１０７１が貫通してレバーアームプレート１０７の頂部の外側まで延び、可動柱１０７２の頂部にリミットプレート１０７３がしっかりと溶接され、レバーアームプレート１０７の底部の右側に支承板１０７４がしっかりと溶接され、支承板１０７４の右側に周波数変換器１０７４１が取り付けられ、周波数変換器１０７４１の右側に電源コード１０７４２が電気的接続され、支承板１０７４の右側にプッシュボルト１０７５が貫通して接続され、プッシュボルト１０７５はねじ付きボルトであり、プッシュボルト１０７５は支承板１０７４にねじ接続され、プッシュボルト１０７５の左側は可動柱１０７２の外側と重ね継ぎ、レバーアームプレート１０７の頂部の右側に回転ハンドル１０７６がしっかりと溶接され、レバーアームプレート１０７の底部に曲げ機構１０８が設置され、曲げ機構１０８は曲げブロック１０８１を含み、曲げブロック１０８１は円弧状ブロックであり、曲げブロック１０８１の左側の直径は固定トレイ１の外側の直径に等しく、曲げブロック１０８１の右側は可動柱１０７２にしっかりと溶接され、第２のコイル１０８７は第１のコイルと大きさが等しく、第２のコイル１０８７の数は少なくとも３つであり、曲げブロック１０８１の左側の中央部に曲げ溝１０８２が設置され、曲げ溝１０８２のキャビティに曲げローラ１０８３が可動的に係合され、曲げブロック１０８３の頂部の中央部に等距離で円形孔１０８４が設置され、円形孔１０８４のキャビティに取り付けロッド１０８５が貫通して接続され、取り付けロッド１０８５の底部に円形孔１０８４が貫通して曲げブロック１０８１の底部の外側まで延び、曲げブロック１０８１の左側の頂部および底部にいずれも等距離で第２の当接孔１０８６が設置され、第２の当接孔１０８６のキャビティに第２のコイル１０８７が貫通して接続され、曲げブロック１０８１の正面および背面の左側にいずれも挿通孔１０８８が設置される。
【００２７】
このパイプ曲げ機が作動中（または使用中）には、まず、曲げ処理を施す必要がある金属ロッドまたは金属パイプをセラミックプレート１０３とセラミックコラム１０４との間の残しておいたスペースに直接係合させ、次いでプッシュボルト１０７５を直接回転させ、プッシュボルト１０７５の連続移動によって、曲げブロック１０８１と固定トレイ１とが当接するまで曲げ機構１０８を固定トレイ１に向けってゆっくり押し、この状態で曲げ機構１０８内の曲げローラ１０８３が金属パイプの外壁と接触し、続いて装置全体の電源を入れ、スタートボタンを押し、周波数変換器１０７４１に電流を通し、周波数変換器１０７４１が民間電力を高周波電力に変換して第２のコイル１０８７に送り、第２のコイル１０８７は曲げ機構１０８の移動に伴って第１のコイル１０９のポートと接し、複数の第１のコイル１０９及び第２のコイル１０８７は１つの一定長さの閉回路を構成し、局部金属パイプはこの回路の中央に位置し、金属パイプの局部位置は急速に加熱されて焼成され、続いて、回転ハンドル１０７６を引いてレバーアームプレート１０７を駆動して取り付けボルト１０６を中心に回転させ、それとともに曲げ機構も回転させ、曲げローラ１０８３は焼成部分をセラミックコラム１０４に密着して押し付けて変形させ、コイルの連続移動につれて、この開閉動作が繰り返され、回転の全過程において、金属パイプの各部分を、所望の曲げ部分への加工が完成するまで、加熱して焼成する。
【００２８】
上記のように、このパイプ曲げ機は、金属パイプの焼成状態で押し付けて曲げる作業を行い、金属パイプ内の原子が非常に活発な状態にあり、不規則運動下で曲げ部分を補償動作することができるので、曲げ部分をより滑らかでより自然にし、同時に、焼成状態での曲げ処理後の成形がより安定し、曲げ部分ではね返り作用が起こりにくくなり、曲がった角での誤差値を低下させる。
【００２９】
以上の記載は本発明の好ましい実施形態にすぎないが、本発明の範囲はそれらに限定されるものではなく、本発明によって開示された技術的範囲内において、当業者が、本発明による技術的解決手段およびその発明の構想に基づいて行う等価置換または変更は、本発明の範囲内に含まれるべきである。
【図１】
2020138233.tif 000003
【図２】
2020138233.tif 000004
【図３】
2020138233.tif 000005
【図４】
2020138233.tif 000006
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
固定トレイ（１）を含むパイプ曲げ機であって、前記固定トレイ（１）はトップトレイ（１０１）およびベーストレイ（１０２）を含み、前記ベーストレイ（１０２）の頂部の中央部およびトップトレイ（１０１）の底部の中央部にいずれもセラミックプレート（１０３）がしっかりと溶接され、前記セラミックプレート（１０３）の頂部の中央部にセラミックコラム（１０４）がしっかりと溶接され、前記固定トレイ（１）の外側の頂部および底部にいずれも等距離で第１の当接孔（１０５）が設置され、前記第１の当接孔（１０５）のキャビティに第１のコイル（１０９）が貫通して接続され、前記固定トレイ（１）の頂部の中央部に取り付けボルト（１０６）が貫通して接続され、前記取り付けボルト（１０６）の外側の頂部にレバーアームプレート（１０７）が嵌着され、前記レバーアームプレート（１０７）の底部に曲げ機構（１０８）が設置される、ことを特徴とするパイプ曲げ機。
【請求項２】
前記セラミックコラム（１０４）の外側に等距離で隠れ溝（１０４１）が設置され、前記セラミックプレート（１０３）に対向する側にいずれも等距離で配線溝（１０３１）が設置され、前記第１のコイル（１０９）の第１の当接孔（１０５）から離れた側はそれぞれ隠れ溝（１０４１）と配線溝（１０３１）のキャビティに係合される、ことを特徴とする請求項１に記載のパイプ曲げ機。
【請求項３】
前記レバーアームプレート（１０７）の頂部の中央部に帯状溝（１０７１）が設置され、前記帯状溝（１０７１）のキャビティに可動柱（１０７２）が貫通接続され、前記可動柱（１０７２）の頂部に帯状溝（１０７１）を貫通してレバーアームプレート（１０７）の頂部の外側まで延び、前記可動柱（１０７２）の頂部にリミットプレート（１０７３）がしっかりと溶接され、前記レバーアームプレート（１０７）の底部の右側に支承板（１０７４）がしっかりと溶接され、前記支承板（１０７４）の右側にプッシュボルト（１０７５）が貫通して接続され、前記レバーアームプレート（１０７）の頂部の右側に回転ハンドル（１０７６）がしっかりと溶接される、ことを特徴とする請求項１に記載のパイプ曲げ機。
【請求項４】
前記曲げ機構（１０８）は曲げブロック（１０８１）を含み、前記曲げブロック（１０８１）の左側の中央部に曲げ溝（１０８２）が設置され、前記曲げ溝（１０８２）のキャビティに曲げローラ（１０８３）が可動的に係合され、前記曲げブロック（１０８３）の頂部の中央部に等距離で円形孔（１０８４）が設置され、前記円形孔（１０８４）のキャビティに取り付けロッド（１０８５）が貫通して接続され、前記取り付けロッド（１０８５）の底部に円形孔（１０８４）が貫通して曲げブロック（１０８１）の底部の外側まで延び、前記曲げブロック（１０８１）の左側の頂部および底部にいずれも等距離で第２の当接孔（１０８６）が設置され、前記第２の当接孔（１０８６）のキャビティに第２のコイル（１０８７）が貫通して接続され、前記曲げブロック（１０８１）の正面および背面の左側にいずれも挿通孔（１０８８）が設置される、ことを特徴とする請求項１に記載のパイプ曲げ機。
【請求項５】
前記隠れ溝（１０４１）は垂直溝であり、その長さはセラミックコラム（１０４）の高さに等しく、前記隠れ溝（１０４１）の頂部および底部にいずれも配線溝（１０３１）に連通する、ことを特徴とする請求項２に記載のパイプ曲げ機。
【請求項６】
前記支承板（１０７４）の右側に周波数変換器（１０７４１）が取り付けられ、
前記周波数変換器（１０７４１）の右側に電源コード（１０７４２）が電気的接続される、ことを特徴とする請求項３に記載のパイプ曲げ機。
【手続補正２】
【補正対象書類名】明細書
【補正対象項目名】０００３
【補正方法】変更
【補正の内容】
【０００３】
【特許文献１】中国特許第１０２２４８０４３号明細書